(57)【要約】【課題】  原価が低減でき、メータに対して警告表示装置の占める面積が小さくても充分運転者が警告表示装置を視認できるインストルメントパネルを提供する。【解決手段】  略平面状のメータ４と、該メータ４の上部より後側に突出してなる上部庇部５及びメータ４の両側部より後側に突出してなる側部庇部６，６よりなるメータフード７とを少なくとも備えてなるインストルメントパネル１において、前記側部庇部６，６に警告表示装置１１，１１を配設してなる。【選択図】        図２
2005199798.tif 000002
【特許請求の範囲】
【請求項１】
略平面状のメータ（４）と、該メータ（４）の上部より後側（ＲＲ）に突出してなる上部庇部（５）及びメータ（４）の両側部より後側（ＲＲ）に突出してなる側部庇部（６）よりなるメータフード（７）とを少なくとも備えてなるインストルメントパネルにおいて、
前記側部庇部（６）に警告表示装置（１１）を配設してなることを特徴とするインストルメントパネル。
【請求項２】
請求項１に記載のインストルメントパネルであって、
前記側部庇部（６）は、メータ（４）の側部に近接する部位から左右に広がる傾斜状に形成されてなることを特徴とするインストルメントパネル。
【請求項３】
請求項１又は請求項２に記載のインストルメントパネルであって、
前記警告表示装置（１１）は、左右に長い長方状に形成されてなることを特徴とするインストルメントパネル。
【請求項４】
請求項１乃至請求項３の何れか１項に記載のインストルメントパネルであって、
前記上部庇部（５）及び側部庇部（６）は、メータ（４）の表示が反射しない無反射処理が施されてなることを特徴とするインストルメントパネル。
【請求項５】
請求項１乃至請求項４の何れか１項に記載のインストルメントパネルであって、
前記メータ（４）は、乗員に見えない前記上部庇部（５）に設けられてなり且つ反転した表示事項を表示可能なる表示部（１４）と、乗員に対向する位置に配され且つ前記表示部（１４）の表示事項を乗員のアイポイント（１６）側に反射可能なる鏡面部（１５）とより構成されてなることを特徴とするインストルメントパネル。
【請求項６】
請求項１乃至請求項５の何れか１項に記載のインストルメントパネルであって、
前記メータ（４）と、前記警告表示装置（１１）とは、別回路により接続されてなることを特徴とするインストルメントパネル。
【発明の詳細な説明】
【技術分野】
【０００１】
本発明は、自動車などの乗り物のインストルメントパネルに関し、特に、警告表示装置を備えたインストルメントパネルに関する。
【背景技術】
【０００２】
従来の自動車などの乗り物の警告表示装置を備えたインストルメントパネルとしては、運転者の視界から常時メータフードで隠されるインストルメントパネルのメータ本体に、警告表示装置を収容したランプハウスを設け、警告表示装置の点灯信号によりメータフード又はランプハウスが移動してランプハウスの表示面を運転者の視界内に露出するようにしたものがある。また、ターンシグナルランプなどが常時運転者の視界に見える対向した位置に平面状に配されてなるものがある（例えば、特許文献１。）。
【特許文献１】特公平６−２０８３９号公報
【発明の開示】
【発明が解決しようとする課題】
【０００３】
しかしながら、このような従来の構造にあっては、警告表示装置のランプハウスを移動させる機構の場合には、移動機構を必要とし、その分原価が高騰することになる。また、警告表示装置が運転者の視界に見える対向した位置に平面状に配されてなるので、運転者に視認させるだけの大きさに形成する必要があり、インストルメントパネル内におけるメータに対して警告表示装置の占める面積が大きいものとなる。
【０００４】
本発明は、このような従来の技術に着目してなされたものであり、原価が低減でき、メータに対して警告表示装置の占める面積が小さくても充分運転者に警告表示装置が視認できるインストルメントパネルを提供するものである。
【課題を解決するための手段】
【０００５】
請求項１に記載の発明は、略平面状のメータと、該メータの上部より後側に突出してなる上部庇部及びメータの両側部より後側に突出してなる側部庇部よりなるメータフードとを少なくとも備えてなるインストルメントパネルにおいて、前記側部庇部に警告表示装置を配設してなることを特徴とする。
【０００６】
請求項２に記載の発明は、請求項１に記載のインストルメントパネルであって、前記側部庇部は、メータの側部に近接する部位から左右に広がる傾斜状に形成されてなることを特徴とする。
【０００７】
請求項３に記載の発明は、請求項１又は請求項２に記載のインストルメントパネルであって、前記警告表示装置は、左右に長い長方状に形成されてなることを特徴とする。
【０００８】
請求項４に記載の発明は、請求項１乃至請求項３の何れか１項に記載のインストルメントパネルであって、前記上部庇部及び側部庇部は、メータの表示が反射しない無反射処理が施されてなることを特徴とする。
【０００９】
請求項５に記載の発明は、請求項１乃至請求項４の何れか１項に記載のインストルメントパネルであって、前記メータは、乗員に見えない前記上部庇部に設けられてなり且つ反転した表示事項を表示可能なる表示部と、乗員に対向する位置に配され且つ前記表示部の表示事項を乗員のアイポイント側に反射可能なる鏡面部とより構成されてなることを特徴とする。
【００１０】
請求項６に記載の発明は、請求項１乃至請求項５の何れか１項に記載のインストルメントパネルであって、前記メータと、前記警告表示装置とは、別回路により接続されてなることを特徴とする。
【発明の効果】
【００１１】
請求項１に記載の発明によれば、略平面状のメータの両側部より後側に突出してなる側部庇部に警告表示装置を配設してなるため、移動機構などを必要としない分原価が低減できる。また、側部庇部は、メータそのものではないため、メータに対して警告表示装置の占める面積が小さくても充分運転者に警告表示装置が視認させることができる。
【００１２】
請求項２に記載の発明によれば、請求項１に記載の発明の効果に加え、側部庇部は、メータの側部に近接する部位から左右に広がる傾斜状に形成されてなるため、かかる左右に広がる傾斜状の側部庇部に設けられた警告表示装置の表示時は、正面視より傾いたアイポイントからは大きく見えることになり、充分運転者に警告表示装置を視認させることができる。
【００１３】
請求項３に記載の発明によれば、請求項１又は請求項２に記載の発明の効果に加え、警告表示装置は、左右に長い長方状に形成されてなるため、奥行き感が大きくなり、立体的に見えることで充分運転者に警告表示装置を視認させることができる。
【００１４】
請求項４に記載の発明によれば、請求項１乃至請求項３の何れか１項に記載の発明の効果に加え、上部庇部及び側部庇部は、メータの表示が反射しない無反射処理が施されてなるため、警告表示装置が表示される際には、無反射の側部庇部から浮かんで見え、充分運転者に警告表示装置が視認させることができる。また、警告表示装置が表示されない際には、警告表示装置が目立たず、それだけ、警告表示装置の表示時の印象を強い物とすることが出来る。
【００１５】
請求項５に記載の発明によれば、請求項１乃至請求項４の何れか１項に記載の発明の効果に加え、メータは、乗員に見えない上部庇部に設けられてなり且つ反転した表示事項を表示可能なる表示部と、乗員に対向する位置に配され且つ表示部の表示事項を乗員のアイポイント側に反射可能なる鏡面部とより構成されてなるため、デッドスペースである上部庇部の活用と、メータの表示位置が奥の方に配されているような印象を与えることで、奥行き感のある商品性の高い豪華なメータである印象を与えることが出来る。
【００１６】
請求項６に記載の発明によれば、請求項１乃至請求項５の何れか１項に記載の発明の効果に加え、メータと、警告表示装置とは、別回路により接続されてなるため、メータが稼働状態にあろうと不稼働状態にあろうと関係なく警告表示装置を稼働できるので、例えば、警告表示装置をハザードランプにすれば、該ランプのみを稼働できることになり、電力消費量が少なくて済む。
【発明を実施するための最良の形態】
【００１７】
原価が低減でき、メータに対して警告表示装置の占める面積が小さくても充分運転者に警告表示装置が視認できるインストルメントパネルを提供する、という目的を、略平面状のメータと、該メータの上部より後側に突出してなる上部庇部及びメータの両側部より後側に突出してなる側部庇部よりなるメータフードとを少なくとも備えてなるインストルメントパネルにおいて、前記側部庇部に警告表示装置を配設してなることにより実現した。以下、本発明の最良の実施形態を図面に基づいて説明する。
【実施例１】
【００１８】
図１乃至図４は、本願発明の第１実施例を示す図である。図１は、第１実施例の自動車のインストルメントパネル１を示している。該インストルメントパネル１の後面、即ち、乗員側を向く側には、センターコンソールボックス２及びステアリングホイール３が設けられている。符号１３は、コラムカバーである。
【００１９】
前記インストルメントパネル１は、略平面状のメータ４と、該メータ４の後述する鏡面部１５の上部１５ａより後側ＲＲに突出してなる上部庇部５及びメータ４の後述する鏡面部１５の両側部１５ｂ，１５ｂより後側ＲＲに突出してなる側部庇部６、６よりなるメータフード７と、これらを支えるインスト本体８と、物入れ部９と、空気吹き出し口１０とを備えてなる。
【００２０】
前記メータフード７の側部庇部６、６は、メータ４の鏡面部１５の両側部１５ｂ，１５ｂに近接する部位から左右に広がる傾斜状に形成されてなり、その側部庇部６、６双方には、ターンシグナル表示ランプなどの左右に長い長方状で矢印１１ａ，１１ｂにより左側又は右側に自動車が曲がることを視認させるように形成されてなる警告表示装置１１、１１を配設してなり、その一方には、図示しないマイクロフォンの受音用開口１２を配設してなる。該警告表示装置１１、１１の裏面側には、図示しないスイッチ(例えば、ターンシグナルスイッチとかハザードスイッチ）をＯＮすることで、稼働する点灯手段１７，１７がそれぞれ配設されていることにより、該点灯手段１７、１７が点灯することで、警告表示装置１１、１１が点滅可能である。
【００２１】
前記メータフード７の前記上部庇部５及び側部庇部６、６の少なくともメータ４側の面には、メータ４の表示が反射しない無反射処理として黒色つや消し塗装などが施されてなる。前記上部庇部５及び側部庇部６、６のメータ４と反対側の面にも同様に黒色つや消し塗装を施しても良いし、つやが生じる塗装でも良い。つや消し塗装でなく、つや消し処理がなされていれば、その方法は問わない。
【００２２】
前記メータ４は、ステアリングホイール３を握持する図示しない乗員に見えない前記上部庇部５の下面に設けられてなり且つ反転した表示事項を表示可能なる液晶モニターによる表示部１４と、該乗員に対向する位置に配され且つ前記表示部１４の表示事項を乗員のアイポイント１６側に反射可能なる鏡面部１５とより構成されてなる。前記メータ４の表示部１４と、前記警告表示装置１１，１１とは、別回路により接続されてなる。
【００２３】
かかるインストルメントパネル１によれば、略平面状のメータ４の鏡面部１５の両側部１５ｂ、１５ｂより後側ＲＲに突出してなる側部庇部６，６に警告表示装置１１、１１を配設してなるため、従来のように警告表示装置１１を動かす移動機構などを必要としない分原価が低減できる。また、側部庇部６，６は、メータ４の鏡面部１５そのものではないため、メータ４に対して警告表示装置１１，１１の占める面積が小さくても充分運転者に警告表示装置１１，１１が視認させることができる。
【００２４】
側部庇部６，６は、メータ４の鏡面部１５の両側部１５ｂ、１５ｂに近接する部位から左右に広がる傾斜状に形成されてなるため、かかる左右に広がる傾斜状の側部庇部６，６に設けられた警告表示装置１１，１１の表示時は、正面視から見る角度より傾いた乗員の目の位置を意味するアイポイント１６からは大きく見えることになり、充分運転者に警告表示装置１１，１１を視認させることができる。
【００２５】
また、警告表示装置１１，１１は、左右に長い長方状に形成されてなるため、奥行き感が大きくなり、立体的に見えることで充分運転者に警告表示装置１１，１１が視認させることができる。
【００２６】
また、上部庇部５及び側部庇部６，６は、メータ４の鏡面部１５による表示部１４による表示が反射しない無反射処理が施されてなるため、警告表示装置１１，１１が表示される際には、無反射の側部庇部６，６から浮かんで見え、充分運転者に警告表示装置１１，１１を視認させることができる。また、警告表示装置１１，１１が表示されない際には、警告表示装置１１，１１が目立たず、それだけ、警告表示装置１１，１１の表示時の印象を強い物とすることが出来る。
【００２７】
更に、メータ４は、乗員に見えない上部庇部５に設けられてなり且つ反転した表示事項を表示可能なる表示部１４と、乗員に対向する位置に配され且つ表示部１４の表示事項を乗員のアイポイント１６側に反射可能なる鏡面部１５とより構成されてなるため、デッドスペースである上部庇部５の活用と、メータ４の表示位置が奥の方に配されているような印象を与えることで、奥行き感のある商品性の高い豪華なメータ４である印象を与えることが出来る。
【００２８】
更に、メータ４の表示部１４と、警告表示装置１１，１１とは、別回路により接続されてなるため、メータ４が稼働状態にあろうと不稼働状態にあろうと関係なく警告表示装置１１，１１を稼働できるので、例えば、警告表示装置１１，１１をハザードランプにすれば、該ランプのみを稼働できることになり、電力消費量が少なくて済む。
【図面の簡単な説明】
【００２９】
【図１】本発明の第１実施例に係るインストルメントパネルを示す斜視図。
【図２】図１のインストルメントパネルのメータ周りを示す正面図。
【図３】図２のａ−ａ線に沿った断面図。
【図４】図２のｂ−ｂ線に沿った断面図。
【符号の説明】
【００３０】
１  インストルメントパネル
４  メータ
５  上部庇部
６  側部庇部
７  メータフード
１１  警告表示装置
１４  メータの表示部
１５  メータの鏡面部
１５ａ  メータの上部である鏡面部の上部
１５ｂ  メータの側部である鏡面部の側部
１６  アイポイント
【図１】
2005199798.tif 000003
【図２】
2005199798.tif 000004
【図３】
2005199798.tif 000005
【図４】
2005199798.tif 000006